(57)【要約】【課題】組立作業でのノズル相互の位置出しを不要とし、しかもノズルの製品精度の向上を図ることができると共に、ノズル自体を容易且つ安価に作製できるようにする。【解決手段】加圧水を噴出する加圧水噴出用ノズル１と、この噴出水が衝突することにより水の粉砕粒子を形成する衝突物体Ｑとを備えた加湿装置であって、加圧水噴出用ノズル１は、複数のノズル部２の噴出口７のそれぞれが衝突物体Ｑに相対向するように互いに連設して成る筐体３によって形成したことを特徴とするものである。【選択図】図１
2006275381.tif 000002
【特許請求の範囲】
【請求項１】
加圧水を噴出する加圧水噴出用ノズルと、該噴出水が衝突することにより水の粉砕粒子を形成する衝突物体とを備えた加湿装置であって、加圧水噴出用ノズルは、複数のノズル部の噴出口それぞれが衝突物体に相対向するよう当該ノズル部が互いに連設して成る筐体によって形成されていることを特徴とする加湿装置のノズル構造。
【請求項２】
ノズル部は、横架されている円柱体状の衝突物体に対し、当該ノズル部の噴出口それぞれが等間隔で相対向するよう筐体下面側に直列に連設されて成ることを特徴とする請求項１記載の加湿装置のノズル構造。
【請求項３】
ノズル部は、固定されている球体状の衝突物体に対し、当該ノズル部の噴出口それぞれが等間隔で相対向するよう筐体下面側に形成された円弧状の凹部に連設されて成ることを特徴とする請求項１記載の加湿装置のノズル構造。
【請求項４】
筐体は、加湿装置に内設された加圧水供給用の給水口を覆うように、水密封止部材を介してネジ止め装着されるものとしたことを特徴とする請求項１乃至３のいずれかに記載の加湿装置のノズル構造。
【発明の詳細な説明】
【技術分野】
【０００１】
本発明は、例えば病院、保健施設、喫煙所等の各種施設における室内で、１流体ノズルを用いた微細化水粒子の噴霧状噴水により湿度調整、消臭、集塵及び冷暖房を総合的にコントロールすることのできる加除湿・冷暖房システムにおける加湿装置のノズル構造に関する。
【背景技術】
【０００２】
従来における加湿装置は、ノズルに対し空気と水の２流体入口を有する２流体ノズルを使用し、例えば約０．３ＭＰａ前後の空気圧力と、ノズル１本当たり毎分約１５〜２０リットル程度の空気流量によって、水を噴霧状微細化して室内に放出させる技術によるものであった。
【０００３】
この場合、加湿装置は、水の噴霧量のみを調整して、約１００μｍ〜３００μｍ程度の水粒径となって吐出されるものであった。
【発明の開示】
【発明が解決しようとする課題】
【０００４】
しかしながら、従来における加湿装置は、ノズルに対し空気と水の２流体入口を有する２流体ノズル自体の構造が複雑で部品点数も多いため、組立作業において複数個の２流体ノズルを互いに位置出しを行ないながら１個づつ配置させることになり一体化することが非常に困難であった。
【０００５】
すなわち、加湿装置のノズルの組立時において、当該ノズルの取り付け角度及び空気と水との合流衝突位置からの離れ距離、並びにノズルの向き等に正確な取り付けが求められ、技術的に組立や調整は非常に難しく、熟練者でなければ組立と調整ができず、且つ熟練者であっても多大な労力と時間を必要としていた。これに伴い、加湿装置内部への複数個のノズルの同時設置のため、加湿装置におけるノズルの占める設置容積が大きくなり、その結果として加湿装置自体が大きくなり、ひいては設置後の快適な住環境を満足させることができなくなると共に、意匠的価値も低下するという重大な欠点を有していた。
【０００６】
そこで、本発明は叙上のような従来存した諸事情に鑑み創案されたもので、加圧水のみを噴出させる簡単な構造でしかも低コストな１流体ノズルを複数に配置させて一体化構造とすることにより、組立作業でのノズル相互の位置出しを不要とし、しかもノズルの製品精度の向上を図ることができると共に、ノズル自体を容易且つ安価に作製することができる加湿装置のノズル構造を提供することを目的とする。
【課題を解決するための手段】
【０００７】
上記目的を達成するために本発明にあっては、加圧水を噴出する加圧水噴出用ノズルと、この噴出水が衝突することにより水の粉砕粒子を形成する衝突物体とを備えた加湿装置であって、加圧水噴出用ノズルは、複数のノズル部の噴出口それぞれが衝突物体に相対向するように該ノズル部が互いに連設して成る筐体によって形成されているものとしている。
【０００８】
また、ノズル部は、横架されている円柱体状の衝突物体に対し、当該ノズル部の噴出口それぞれが等間隔で相対向するよう筐体下面側に直列に連設するように構成することができる。
【０００９】
更に、ノズル部は、固定されている球体状の衝突物体に対し、当該ノズル部の噴出口それぞれが等間隔で相対向するよう筐体下面側に形成された円弧状の凹部に連設するように構成することができる。
【００１０】
また、筐体は、加湿装置に内設された加圧水供給用の給水口を覆うように、水密封止部材を介してネジ止め装着されるものとすることができる。
【発明の効果】
【００１１】
以上のように構成された本発明に係る加湿方法とその装置にあっては、衝突物体に相対向する加圧水噴出用ノズルの複数のノズル部の噴出口から、例えば水圧力約２ＭＰａ前後、レイノルズ数約１３０００前後の水を噴出させる。この加圧水が衝突物体に衝突した際、該衝突物体の左右両側から後流に向けて噴霧水流によるカルマン渦列が形成される。その中の乱流域における衝突物体の表面上での噴霧水流の剥がれ点での後流剥離によって、噴霧水流の速度が０となったよどみ点が発生し、このよどみ点での負圧の現象を利用して、より多くの噴霧状粉砕を発生させることができる。
【００１２】
更に、本発明によれば、加圧水のみを噴出させる構造でよく、簡単でしかも低コストな１流体ノズルを複数に配置させて一体化構造とすることにより、組立作業でのノズル相互の位置出しを不要とし、しかもノズルの製品精度の向上を図ることができると共に、ノズル自体を容易且つ安価に作製することができる。
【００１３】
また、このような複数の１流体ノズルの一体化構造は、例えば金型ダイカスト、鋳物等による金属鋳造方式によって容易に形成することができ、しかもコンピュータで工作機械を制御して作業を行なう所謂ＮＣマシニング加工により生産性の向上と低コスト化を図ることができる。
【発明を実施するための最良の形態】
【００１４】
以下、本発明を実施する最良の形態を図面を参照して説明する。
【実施例１】
【００１５】
図に示される符号１は、加湿装置における１流体ノズルを構成するところの加圧水噴出用ノズルであり、加圧水噴出用ノズル１は、図１に示すように、複数のノズル部２が、略矩形枠状の筐体３の下面側に直列に連続するように一体成形されている。
【００１６】
このような筐体３に対する複数のノズル部２の一体化構造は、例えばＮＣマシニング加工や金型ダイカスト、鋳物等の金属鋳造方式を使って形成される。
【００１７】
また、筐体３の開口部側両端には、Ｌ字突片状の取付面部３Ａが形成されており、筐体３の開口部側を、加湿装置に内設された加圧水供給用の給水口４を覆うようにして、筐体３の取付面部３Ａを給水口４の周辺面部にあてがってから、例えばＯリング又はパッキン等の水密封止部材５を介してネジ止め６等によって固定されるようにしている。
【００１８】
そして、これら複数のノズル部２の先端内部においてテーパ状内壁部２Ａを介して中央に噴出口７が穿設され、該噴出口７のそれぞれが、下方において横向きに架設させた円柱体状の衝突物体Ｑに沿って相対向して配置されるようにしている。
【００１９】
この噴出口７は、加圧水噴出用ノズル１の筐体３の取り付けに際し、テーパ状内壁部２Ａによって囲まれた中央薄肉部分を、キリ等によって任意の口径に切削すること（図における矢印）で当該噴出口７が形成できるようにしている。
【実施例２】
【００２０】
図２には、本発明に係る加圧水噴出用ノズル１、衝突物体Ｑの他の実施例が示されており、加圧水噴出用ノズル１は、略円形枠状の筐体３の下面側を内側、すなわち開口部側へ向けて円弧状に窪ませることにより凹部８が形成されている。そして、この凹部８には、複数のノズル部２が互いに等間隔に配置されるようにして形成されている。
【００２１】
これら複数のノズル部２の先端内部においてテーパ状内壁部２Ａを介して中央に噴出口７が穿孔形成され、該噴出口７のそれぞれが、下方において固設させた球体状の衝突物体Ｑに等間隔で相対向して配置されるようにしている。
【００２２】
すなわち、筐体３の下面側において凹部８を形成する球状の内壁面と、球体状の衝突物体Ｑの表面との間隔は常に同じ距離となるように、球状の内壁面の対称中心位置に衝突物体Ｑの球の中心が位置するように配置されている。
【００２３】
このようにして、加圧水噴出用ノズル１におけるノズル部２の噴出口７から例えば水圧力約２ＭＰａ前後、レイノルズ数約１３０００前後の加圧水を噴出落下させて勢いよく衝突物体Ｑの表面上に衝突させることで１００μｍ程度の水の粉砕粒子を形成しておいてから、この水の粉砕粒子を任意の助走区間を通過させることで５〜１０μｍ程度の噴霧状微細化してから外部に噴出させるようにしている。
【００２４】
次に、上記のように構成された最良の形態についての使用、動作の一例を説明するに、図１に示すように、先ず、例えばＮＣマシニング加工や金型ダイカスト、鋳物等の金属鋳造方式を使って、筐体３に対して複数のノズル部２が連設する形状となるように加圧水噴出用ノズル１が一体成形される。こうすることで、加圧水噴出用ノズル１の組立作業でのノズル部２相互の位置出しが不要となり、しかもノズル部２の製品精度が向上する。
【００２５】
この加圧水噴出用ノズル１は、加湿装置に内設された加圧水供給用の給水口４を筐体３の開口部側で覆うようにしてから該筐体３の取付面部３Ａを給水口４の周辺面部にあてがって、例えばＯリング又はパッキン等の水密封止部材５を介してネジ止め６等によって固定する。このとき噴出口７は、ノズル部２先端部分をキリ等によって任意の口径に切削すること（図における矢印）で形成される。
【００２６】
そして、加圧水噴出用ノズル１の下方には、円柱体状若しくは球体状の衝突物体Ｑが固定配置される。このとき、複数のノズル部２の噴出口７のそれぞれは、衝突物体Ｑに対して互いに等間隔となるように配置される。
【００２７】
加湿装置の使用に際し、貯水槽Ｐから昇圧装置により水圧力を加えられた水は給水口４より加圧水噴出用ノズル１に導入され、該加圧水噴出用ノズル１におけるノズル部２の噴出口７から例えば水圧力約２ＭＰａ前後、レイノルズ数約１３０００前後の加圧水を噴出落下させて勢いよく衝突物体Ｑの表面上に衝突させる。このとき、衝突物体Ｑ近傍には約１００μｍ前後の水の粉砕粒子が形成される。そして、この水の粉砕粒子を任意の助走区間を通過させることで５〜１０μｍ程度の噴霧状微細化してから外部に噴出させる。
【図面の簡単な説明】
【００２８】
【図１】本発明を実施するための最良の形態におけるノズル構造の概略を示す断面図である。
【図２】同じくノズル構造の他の実施例を示す断面図である。
【符号の説明】
【００２９】
Ｐ          貯水槽
Ｑ          衝突物体
１          加圧水噴出用ノズル
２          ノズル部
２Ａ        テーパ状内壁部
３          筐体
３Ａ        取付面部
４          給水口
５          水密封止部材
６          ネジ止め
７          噴出口
８          凹部
【図１】
2006275381.tif 000003
【図２】
2006275381.tif 000004